(57)【要約】【課題】貯蔵庫の製品組立後は、設置場所の床面レベル状況に左右されることなく扉を適正に開け，閉めできるように扉支持構造を改良する。【解決手段】キャビネット本体１の前面に観音開き式扉２を配した床置き形の貯蔵庫で、前記観音開き式扉はその左右扉板２ａ，２ｂをヒンジ金具５，６により開閉自在にヒンジ結合し、キャビネット本体はその底部コーナーに配したレベル調整ボルト（支脚）７を介して床面上に据付けたものにおいて、前記の観音開き式扉に対し、各扉板の中央寄り下面にボールキャスタ１０を設置するとともに、該キャスタに対向してキャビネット本体の下部前面には扉を閉じた際にキャスタを乗り上げて扉板を定位置に担持するガイドレール１２を敷設する。さらに、加えて前記ガイドレールを磁性鋼板として、扉板の下面に取り付けたマグネット１１の吸着板を兼用し、扉を閉じた際にマグネットをガイドレールに吸着させて扉を閉位置に保持させるようにする。【選択図】        図１
2007040591.tif 000002
【特許請求の範囲】
【請求項１】
キャビネット本体の前面に観音開き式扉を配した床置き形の貯蔵庫であり、前記観音開き式扉はその左右扉板の吊り側をキャビネット本体にヒンジ結合し、キャビネット本体はその底部コーナーに配したレベル調整ボルトを介して床面上に据付けたものにおいて、
前記の観音開き式扉に対し、各扉板の中央寄り下面にキャスタを設置するとともに、該キャスタに対向してキャビネット本体の下部前面には、扉を閉じた際に前記キャスタを乗り上げて扉板を定姿勢に担持するガイドレールを敷設したことを特徴とする貯蔵庫。
【請求項２】
請求項１記載の貯蔵庫において、ガイドレールを断面Ｌ形の磁性鋼板として、扉板の下面にキャスタと並置して取り付けたマグネットの吸着板を兼用させたことを特徴とする貯蔵庫。
【発明の詳細な説明】
【技術分野】
【０００１】
本発明は、米，野菜などの農産物の保冷に適用する貯蔵庫に関し、詳しくはその扉支持構造に係わる。
【背景技術】
【０００２】
頭記の農産物保冷庫として、断熱筐体になるキャビネット本体の前面に観音開き式扉を配した床置き形の冷蔵貯蔵庫が知られており（例えば、特許文献１参照）、その従来構成を図３（ａ），（ｂ）に示す。図において、１は前面開放の箱形断熱筐体になるキャビネット本体、２はキャビネット本体１の前面に配した観音開き式扉、２ａ，２ｂは左右の扉板、２ｃは把手、３はキャビネット本体１の頂部に設置した冷却装置（冷凍機のコンデンシングユニット）、４はドレン回収タンクである。ここで、前記の扉板２ａ，２ｂはその吊り側（左扉板２ａの左サイド，右扉板２ｂの右サイド）の上下端がピン挿入形のヒンジ金具５，６介して開け，閉め自在にキャビネット本体１に支持されている。また、キャビネット本体１はその底面四隅にレベル調整ボルト（支脚）７，床面移動用キャスタ８を設けて設置場所の床面上に据付けるようにしている。なお、９は庫内に収容した保冷物（袋詰めの米）である。
【０００３】
頭記の農産物保冷庫は、多量の米，野菜などを収容して保冷するためにその機体は例えば全高は１．８ｍ，全幅１．４ｍの大形構造で、そのキャビネット本体１の前面に配した観音開き式の扉板２も大形サイズの重量物である。
【特許文献１】特開２００２−１３０８８８号公報
【発明の開示】
【発明が解決しようとする課題】
【０００４】
ところで、図３に示した従来の貯蔵庫では、その観音開き式扉の支持構造に関して次記のような問題点がある。すなわち工場で行う貯蔵庫の扉組立工程で、キャビネット本体１にヒンジ金具５，６を介して左右の扉板２ａ，２ｂを組み付けた際の組立誤差，ガタ付きが原因で、左側の扉板２ａと右側の扉板２ｂとの間に微妙な上下方向のずれや傾きが生じていると、扉を閉じた際に扉板２ａ，２ｂとキャビネット本体１との間に隙間が残り、これが原因で庫内の冷気が漏出したり、扉の開け，閉め動作に支障を来すおそれがあることから、その場合にはヒンジ金具５，６を調整して扉板２ａ，２ｂのずれ，傾きを修正して扉が適正に開閉できるようにしている。
また、工場から出荷した貯蔵庫の製品を納入先の現地で据付け，あるいは設置後に場所を移動する際に、その設置場所の床面レベル状況によってはキャビネット本体１の据付け姿勢が傾き、そのために扉板２ａ，２ｂが自重でずれたり傾いたりしてキャビネットとの間に隙間が生じたり扉の開け，閉め動作に支障を来すことがある。このような不具合が生じた場合には、キャビネット本体１の底面四隅に配したレベル調整ボルト７を調整して水平姿勢に保つように対処しているが、ボルト７のレベル調整だけでは十分に対応できないときには、現場で扉のヒンジ金具を調整し直す大掛かりな作業が必要となる。このことから、製品の出荷後は、設置場所の床面レベル状況に殆ど左右されることなく、また扉の取り付け調整を要することなく、扉を正常に閉じることができるような対策が望まれる。
【０００５】
本発明は上記の点に鑑みなされたものであり、その目的は前記課題を解決し、製品の組立後は設置場所の床面レベル状況などに左右されることなく扉を正常に開け，閉めできるように改良した貯蔵庫の扉支持構造を提供することにある。
【課題を解決するための手段】
【０００６】
上記目的を達成するために、本発明によれば、キャビネット本体の前面に観音開き式扉を配した床置き形の貯蔵庫で、前記観音開き式扉はその左右扉板の吊り側をキャビネット本体にヒンジ結合し、キャビネット本体はその底部コーナーに配したレベル調整用の支脚を介して床面上に据付けたものにおいて、
前記の観音開き式扉に対し、各扉板の中央寄り下面にキャスタを設置するとともに、該キャスタに対向してキャビネット本体の下部前面には、扉を閉じた際に前記キャスタを乗り上げて扉板を定姿勢に担持するガイドレールを敷設するものとする（請求項１）。
また、前記のガイドレールを断面Ｌ形の磁性鋼板として、扉板の下面にキャスタと並置して取り付けたマグネットの吸着板を兼用させ、扉を閉じた際に前記マグネットをガイドレールに吸着させて扉を閉位置に保持するようにする（請求項２）。
【発明の効果】
【０００７】
上記の構成により、観音開き式扉を開放位置から閉じると、扉が閉位置に到達する直前で扉板の下面に設けたキャスタがキャビネット本体の下部前面に設けたガイドレールの上に乗り上げ、このガイドレールを基準に左右の扉板が所定の姿勢を保って閉位置に担持される。これにより、設置場所の床面レベルが原因で生じた扉板の微妙なずれ，傾きは扉の閉位置で矯正され、キャビネット本体との間に隙間を残すことなく扉を正常に閉じることができて信頼性が向上する。
また、前記ガイドレールを磁性板として扉板に取り付けたマグネットを吸着させるようにすることで、扉が不測に開かないように閉位置に吸着保持できる。
【発明を実施するための最良の形態】
【０００８】
以下、本発明の実施の形態を図１（ａ）〜（ｃ）および図２に示す実施例に基づいて説明する。なお、図１（ａ）は貯蔵庫の下半部の正面図、図１（ｂ），（ｃ）は同側面図、図２は貯蔵庫の前半部の平面図（観音開き式扉の左側扉板は閉，右側扉板は半開状態を表している）であり、実施例の図中で図３に対応する部材には同じ符号を付してその説明は省略する。
すなわち、図示実施例においては、キャビネット本体１の前面に配した左右の扉板２ａ，２ｂに対して、その扉板の下面中央寄り（吊り側と反対側）にボールキャスタ１０，およびマグネット１１を左右に並べて取り付ける。一方、前記のボールキャスタ１０，マグネット１１に対向してキャビネット本体１の前面下部には鋼板（磁性材）で作られた断面Ｌ形のガイドレール１２を水平に配し、その背壁（Ｌ字形の立ち上がり部）を溶接もしくはボルト締めによりキャビネット本体に固着されている。なお、このガイドレール１２はその前端縁を下向きに傾斜させておき、後記のように前方から移動して来たボールキャスタ１０がガイドレール１２の上に乗り上げ易くしている。
【０００９】
上記の構成で、左右の扉板２ａ，２ｂを開放位置から閉じると、図１（ｂ）で表すように扉板２が閉位置に到達する直前で、ボールキャスタ１０が前方からガイドレール１２の上に乗り上げ、閉位置ではガイドレール１２を基準にして左右の扉板２ａ，２ｂが同じ高さに並んで所定の姿勢に担持される。また、扉２の閉位置では図１（ｃ）で示すように扉板の下面に設けたマグネット１１がＬ字形に屈曲したガイドレール１２の背壁面に吸着されて扉板２ａ，２ｂをこの位置に保持する。
これにより、工場で組立てた貯蔵庫の製品を据付け先現地の設置場所に据付ける場合に、レベル調整ボルト７のレベル調整だけでは対応できない扉板の微妙なずれ，傾きが残っている場合でも、これに左右されることなく扉板２を閉じた際に前記のガイドレール１２を基準にして扉板２ａ，２ｂのずれ，傾きを矯正して正常に閉じることができる。したがって、据付け先の現場で扉のヒンジ金具５，６を調整し直す面倒な作業を要することなく、観音開き式扉を正常に開け，閉めすることができて信頼性が向上する。
【図面の簡単な説明】
【００１０】
【図１】本発明の実施例に係わる貯蔵庫の要部構成図で、（ａ）は貯蔵庫下半部の正面図、（ｂ），（ｃ）は同側面図
【図２】図１の貯蔵庫でその観音開き式扉の左側扉板が閉，右側扉板が半開の状態を表す平面図
【図３】従来における貯蔵庫の構成図で、（ａ）は貯蔵庫全体の正面図、（ｂ）は側面図
【符号の説明】
【００１１】
１    キャビネット本体
２    観音開き式扉
２ａ，２ｂ  扉板
５，６  ヒンジ金具
７    レベル調整ボルト（支脚）
８    ボールキャスタ
９    マグネット
１０    ガイドレール
【図１】
2007040591.tif 000003
【図２】
2007040591.tif 000004
【図３】
2007040591.tif 000005